(57)【要約】【課題】  原稿情報を色空間ｓＹＣＣでＪＰＥＧ符号化カラー送信した情報を受信して、コンパクトフラシュカードにアップロードして、この情報をデジタルスチルカメラ、あるいは、ＰＣで処理しようとした場合は、ＪＰＥＧヘッダのＸパラメータに今まで、扱った事が無い主走査方向のビット数が入っているため正しくＪＰＥＧ復合化処理ができないという欠点があった。【解決手段】  カラー情報を通信可能なファクシミリ装置において、受信情報を接続カードへ格納する手段を有し、色空間ｓＹＣＣのＪＰＥＧ符号化情報を受信時は、受信情報は接続されたカードに格納するが、ＪＰＥＧヘッダーの内容により、受信情報を変更後、カードに格納する。【選択図】  図１
2006066957.tif 000002
【特許請求の範囲】
【請求項１】
カラー情報を通信可能なファクシミリ装置において、前手順にて、受信機から送信機に、色空間ＬａｂでのＪＰＥＧ符号化情報の受信機能の有無を通知する手段、色空間Ｌａｂでのフルカラー情報の受信機能の有無を通知する手段、色空間ｓＹＣＣでのＪＰＥＧ符号化情報の受信機能の有無を通知する手段、一方、送信機から受信機に、色空間ＬａｂでのＪＰＥＧ符号化情報の送信を指定する手段、色空間Ｌａｂでのフルカラー情報の送信を指定する手段、色空間ｓＹＣＣでのＪＰＥＧ符号化情報の送信を指定する手段、受信情報を接続カードへ格納する手段を有し、色空間ｓＹＣＣのＪＰＥＧ符号化情報を受信時は、受信情報は接続されたカードに格納するが、ＪＰＥＧヘッダーの内容により、受信情報を変更後、カードに格納する事を特徴とするファクシミリ装置。
【請求項２】
請求項１のファクシミリ装置において、色空間ｓＹＣＣのＪＰＥＧ符号化情報を受信時、ＪＰＥＧヘッダーのＸパラメータの内容により、必要に応じて、受信情報を変更後、カードに格納する事を特徴とするファクシミリ装置。
【請求項３】
請求項１、２のファクシミリ装置において、色空間ｓＹＣＣのＪＰＥＧ符号化情報を受信時、ＪＰＥＧヘッダーのＸパラメータの内容が原稿情報サイズであると、受信情報をデジカメスチルカメラ撮影の画素数に変更後、カードに格納する事を特徴とするファクシミリ装置。
【請求項４】
請求項１のファクシミリ装置において、色空間ｓＹＣＣのＪＰＥＧ符号化情報を受信時、ＪＰＥＧヘッダーのＹパラメータの内容、あるいは、ＪＰＥＧ情報のＤＮＬマーカの内容により、必要に応じて、受信情報を変更後、カードに格納する事を特徴とするファクシミリ装置。
【請求項５】
請求項１、４のファクシミリ装置において、色空間ｓＹＣＣのＪＰＥＧ符号化情報を受信時、ＪＰＥＧヘッダーのＹパラメータの内容、あるいは、ＪＰＥＧ情報のＤＮＬマーカの内容が原稿情報サイズであると、受信情報をデジカメスチルカメラ撮影の画素数に変更後、カードに格納する事を特徴とするファクシミリ装置。
【請求項６】
カラー情報を通信可能なファクシミリ通信方式において、前手順にて、受信機から送信機に、色空間ＬａｂでのＪＰＥＧ符号化情報の受信機能の有無を通知する手段、色空間Ｌａｂでのフルカラー情報の受信機能の有無を通知する手段、色空間ｓＹＣＣでのＪＰＥＧ符号化情報の受信機能の有無を通知する手段、一方、送信機から受信機に、色空間ＬａｂでのＪＰＥＧ符号化情報の送信を指定する手段、色空間Ｌａｂでのフルカラー情報の送信を指定する手段、色空間ｓＹＣＣでのＪＰＥＧ符号化情報の送信を指定する手段、受信情報を接続カードへ格納する手段を有し、色空間ｓＹＣＣのＪＰＥＧ符号化情報を受信時は、受信情報は接続されたカードに格納するが、ＪＰＥＧヘッダーの内容により、受信情報を変更後、カードに格納する事を特徴とするファクシミリ通信方式。
【請求項７】
請求項６のファクシミリ通信方式において、色空間ｓＹＣＣのＪＰＥＧ符号化情報を受信時、ＪＰＥＧヘッダーのＸパラメータの内容により、必要に応じて、受信情報を変更後、カードに格納する事を特徴とするファクシミリ通信方式。
【請求項８】
請求項６、７のファクシミリ通信方式において、色空間ｓＹＣＣのＪＰＥＧ符号化情報を受信時、ＪＰＥＧヘッダーのＸパラメータの内容が原稿情報サイズであると、受信情報をデジカメスチルカメラ撮影の画素数に変更後、カードに格納する事を特徴とするファクシミリ通信方式。
【請求項９】
請求項６のファクシミリ通信方式において、色空間ｓＹＣＣのＪＰＥＧ符号化情報を受信時、ＪＰＥＧヘッダーのＹパラメータの内容、あるいは、ＪＰＥＧ情報のＤＮＬマーカの内容により、必要に応じて、受信情報を変更後、カードに格納する事を特徴とするファクシミリ通信方式。
【請求項１０】
請求項６、９のファクシミリ通信方式において、色空間ｓＹＣＣのＪＰＥＧ符号化情報を受信時、ＪＰＥＧヘッダーのＹパラメータの内容、あるいは、ＪＰＥＧ情報のＤＮＬマーカの内容が原稿情報サイズであると、受信情報をデジカメスチルカメラ撮影の画素数に変更後、カードに格納する事を特徴とするファクシミリ通信方式。
【発明の詳細な説明】
【技術分野】
【０００１】
本発明は、ファクシミリ装置、特に、ＪＰＥＧ情報を通信可能なファクシミリ装置に関するものである。
【背景技術】
【０００２】
従来のカラー情報を通信可能なファクシミリ装置は、ＩＴＵ−Ｔ勧告Ｔ．３０、Ｔ．４、Ｔ．８１、Ｔ．４２で、決まっていて、色空間Ｌａｂでのカラー通信であった。最近は、デジタルカメラが普及して、デジタルカメラで撮影した情報をそのままファクシミリプロトコルを使用して送信したいというニーズが高まってきた。これに伴い、デジタルカメラで使用している色空間はＬａｂでなく、色空間ｓＹＣＣでのカラー通信である。このため、色空間ｓＹＣＣでのＪＰＥＧ符号化情報をそのまま送信するプロトコルが検討中である（特許文献１）。
【特許文献１】特開２００４−３２６７６号公報
【発明の開示】
【発明が解決しようとする課題】
【０００３】
しかしながら、デジタルカメラで撮影した情報と原稿情報を読み取った時で、主走査方向のライン数が異なる。ここで、原稿情報を色空間ｓＹＣＣでＪＰＥＧ符号化カラー送信した情報を受信して、コンパクトフラシュカードにアップロードして、この情報をデジタルスチルカメラ、あるいは、ＰＣで処理しようとした場合は、ＪＰＥＧヘッダのＸパラメータに今まで、扱った事が無い主走査方向のビット数が入っているため正しくＪＰＥＧ復合化処理ができないという欠点があった。ここで、色空間ｓＹＣＣの情報を受信時、送信機から送信される主走査方向のビット数により、カードへ格納するか、プリントする事を以前に筆者が提案したが、これでは、色空間ｓＹＣＣの情報をカードに格納できないケースが発生するという問題があった。
【課題を解決するための手段】
【０００４】
第１の本発明によれば、カラー情報を通信可能なファクシミリ装置において、前手順にて、受信機から送信機に、色空間ＬａｂでのＪＰＥＧ符号化情報の受信機能の有無を通知する手段、色空間Ｌａｂでのフルカラー情報の受信機能の有無を通知する手段、色空間ｓＹＣＣでのＪＰＥＧ符号化情報の受信機能の有無を通知する手段、一方、送信機から受信機に、色空間ＬａｂでのＪＰＥＧ符号化情報の送信を指定する手段、色空間Ｌａｂでのフルカラー情報の送信を指定する手段、色空間ｓＹＣＣでのＪＰＥＧ符号化情報の送信を指定する手段、受信情報を接続カードへ格納する手段を有し、色空間ｓＹＣＣのＪＰＥＧ符号化情報を受信時は、受信情報は接続されたカードに格納するが、ＪＰＥＧヘッダーの内容により、受信情報を変更後、カードに格納する事が可能になった。第２の本発明によれば、第１の本発明のファクシミリ装置において、色空間ｓＹＣＣのＪＰＥＧ符号化情報を受信時、ＪＰＥＧヘッダーのＸパラメータの内容により、必要に応じて、受信情報を変更後、カードに格納する事が可能になった。第３の本発明によれば、第１、２の本発明のファクシミリ装置において、色空間ｓＹＣＣのＪＰＥＧ符号化情報を受信時、ＪＰＥＧヘッダーのＸパラメータの内容が原稿情報サイズであると、受信情報をデジカメスチルカメラ撮影の画素数に変更後、カードに格納する事が可能になった。
【０００５】
これらにより、デジタルカメラで撮影した情報と原稿情報を読み取った時で、主走査方向のライン数が異なるが、原稿情報を色空間ｓＹＣＣでＪＰＥＧ符号化カラー送信した情報を受信した場合は、ＪＰＥＧヘッダーのＸパラメータの内容が原稿情報サイズであり、これを、受信情報をデジカメスチルカメラ撮影の画素数に変更後、カードに格納でき、カードに格納した情報はパソコン等で適切に処理する事が可能になり、とても使い易くなった。
【０００６】
第４の本発明によれば、第１の本発明のファクシミリ装置において、色空間ｓＹＣＣのＪＰＥＧ符号化情報を受信時、ＪＰＥＧヘッダーのＹパラメータの内容、あるいは、ＪＰＥＧ情報のＤＮＬマーカの内容により、必要に応じて、受信情報を変更後、カードに格納する事が可能になった。第５の本発明によれば、第１、４の本発明のファクシミリ装置において、色空間ｓＹＣＣのＪＰＥＧ符号化情報を受信時、ＪＰＥＧヘッダーのＹパラメータの内容、あるいは、ＪＰＥＧ情報のＤＮＬマーカの内容が原稿情報サイズであると、受信情報をデジカメスチルカメラ撮影の画素数に変更後、カードに格納する事が可能になった。
【０００７】
これらにより、デジタルカメラで撮影した情報と原稿情報を読み取った時で、副走査方向のライン数が異なるが、原稿情報を色空間ｓＹＣＣでＪＰＥＧ符号化カラー送信した情報を受信した場合は、ＪＰＥＧヘッダーのＹパラメータ（Ｙパラメータを受信しない時は、ＪＰＥＧ情報のＤＮＬマーカの値）の内容が原稿情報サイズであり、これを、受信情報をデジカメスチルカメラ撮影の画素数に変更後、カードに格納でき、カードに格納した情報はパソコン等で適切に処理する事が可能になり、とても使い易くなった。
【０００８】
第６から第１０の本発明は、第１から第５の本発明をファクシミリ装置からファクシミリ通信方式にしたものである。
【発明の効果】
【０００９】
第１、２、３の本発明によれば、デジタルカメラで撮影した情報と原稿情報を読み取った時で、主走査方向のライン数が異なるが、原稿情報を色空間ｓＹＣＣでＪＰＥＧ符号化カラー送信した情報を受信した場合は、ＪＰＥＧヘッダーのＸパラメータの内容が原稿情報サイズであり、これを、受信情報をデジカメスチルカメラ撮影の画素数に変更後、カードに格納でき、カードに格納した情報はパソコン等で適切に処理する事が可能になり、とても使い易くなった。
【００１０】
第４、５の本発明によれば、デジタルカメラで撮影した情報と原稿情報を読み取った時で、副走査方向のライン数が異なるが、原稿情報を色空間ｓＹＣＣでＪＰＥＧ符号化カラー送信した情報を受信した場合は、ＪＰＥＧヘッダーのＹパラメータ（Ｙパラメータを受信しない時は、ＪＰＥＧ情報のＤＮＬマーカの値）の内容が原稿情報サイズであり、これを、受信情報をデジカメスチルカメラ撮影の画素数に変更後、カードに格納でき、カードに格納した情報はパソコン等で適切に処理する事が可能になり、とても使い易くなった。
【００１１】
第６から第１０の本発明は、第１から第５の本発明をファクシミリ装置からファクシミリ通信方式にしたものである。
【発明を実施するための最良の形態】
【００１２】
（実施例１）
以下、図面に示す実施の形態に基ずいて、本発明を詳細に説明する。
【００１３】
図１には、本発明の実施の形態であるファクシミリ装置がブロック図として図示されている。
【００１４】
２は、ＮＣＵ（網制御装置）で、電話網をデータ通信等に使用するために、その回線の端末に接続し、電話交換網の接続制御を行ったり、データ通信路への切り換えを行ったり、ループの保持を行うものである。また、ＮＣＵ２は、バス２６からの制御により、電話回線２ａを電話機側に接続（ＣＭＬオフ）したり、電話回線２ａをファクシミリ装置側に接続（ＣＭＬオン）するものである。なお、通常状態では、電話回線２ａは、電話機４側に接続されている。
【００１５】
４は、電話機である。
【００１６】
６は、ハイブリッド回路であり、送信系の信号と受信系の信号とを分離し、加算回路１２からの送信信号をＮＣＵ２経由で電話回線２ａに送出し、相手側からの信号をＮＣＵ２経由で受け取り、信号線６ａ経由で復調器８に送るものである。
【００１７】
８は、変復調器であり、ＩＴＵ−Ｔ勧告Ｖ．８、Ｖ．２１、Ｖ．２７ｔｅｒ、Ｖ．２９、Ｖ．１７、Ｖ．３４に基づいた変調及び復調を行う変復調器であり、バス２６の制御により、各伝送モードが指定される。８は、バス２６からの送信信号を入力し、変調データを信号線８ａに出力し、信号線６ａに出力されている受信信号を入力し、復調データをバス２６に出力する。
【００１８】
１０は、発呼回路であり、バス２６からの信号により、電話番号情報を入力し、信号線１０ａにＤＴＭＦの選択信号を出力する。
【００１９】
１２は、加算回路であり、信号線８ａの情報と信号線１０ａの情報を入力し、加算した結果を信号線１２ａに出力する。
【００２０】
１４は、カラー読み取り可能な読取回路であり、読み取りデータをバス２６に出力する。
【００２１】
１６は、カラー記録可能な記録回路であり、バス２６に出力されている情報を順次１ライン毎に記録する。
【００２２】
１８は、メモリ回路であり、ワーク用のメモリ（ＲＡＭ）、さらに、読み取りデータの生情報、あるいは、符号化した情報を格納したり、また、受信情報、あるいは、復号化した情報等をバス２６を介して格納する。
【００２３】
２０は、操作部であり、ワンタッチダイヤル、短縮ダイヤル、テンキー、＊キー、＃キー、スタートキー、ストップキー、セットキー、ファイル情報の送信を選択するキー、カラー原稿送信選択キー、その他のファンクションキーがあり、押下されたキー情報はバス２６に出力される。
【００２４】
操作部には、表示部があり、バス２６に出力されている情報を入力し、表示する。
【００２５】
２２は、ＣＰＵ（中央処理装置）であり、ファクシミリ全体の制御をしたり、ファクシミリ伝送制御手順を実行するが、その制御プログラムは、ＲＯＭ２４に格納される。
【００２６】
２６は、バスである。
【００２７】
２８は、カードインターフェイスであり、３０のカード（例えば、デジタルカメラで撮影した情報が記憶されているコンパクトフラッシュ（登録商標）カード）がセットされる。
【００２８】
図２には、本発明により、カラー関連のビット情報、さらに、新規にＩＴＵ−Ｔ勧告Ｔ．３０に追加する情報が図示されている。
【００２９】
ＤＩＳ／ＤＴＣ信号のＦＩＦの６８ビットにより、色空間ＬａｂでのＪＰＥＧ符号化での受信機能の有無を通知し、ＤＣＳ信号のＦＩＦの６８ビットにより、色空間ＬａｂでのＪＰＥＧ符号化での送信を指定をする。
【００３０】
また、ＤＩＳ／ＤＴＣ信号のＦＩＦの６９ビットにより、色空間はＬａｂであるフルカラー受信機能の有無を通知し、ＤＣＳ信号のＦＩＦの６９ビットにより、色空間はＬａｂであるフルカラー送信を指定をする。
【００３１】
ＤＩＳ／ＤＴＣ信号のＦＩＦのＸビットにより、色空間ｓＹＣＣでのＪＰＥＧ符号化での受信機能の有無を通知し、ＤＣＳ信号のＦＩＦのＸビットにより、色空間ｓＹＣＣでのＪＰＥＧ符号化での送信を指定をする。
【００３２】
２４は、カラー情報を通信可能なファクシミリ装置において、前手順にて、受信機から送信機に、色空間ＬａｂでのＪＰＥＧ符号化情報の受信機能の有無を通知する手段、色空間Ｌａｂでのフルカラー情報の受信機能の有無を通知する手段、色空間ｓＹＣＣでのＪＰＥＧ符号化情報の受信機能の有無を通知する手段、一方、送信機から受信機に、色空間ＬａｂでのＪＰＥＧ符号化情報の送信を指定する手段、色空間Ｌａｂでのフルカラー情報の送信を指定する手段、色空間ｓＹＣＣでのＪＰＥＧ符号化情報の送信を指定する手段、受信情報を接続カードへ格納する手段を有し、色空間ｓＹＣＣのＪＰＥＧ符号化情報を受信時は、受信情報は接続されたカードに格納するが、ＪＰＥＧヘッダーのＸパラメータの内容により、必要に応じて、受信情報を変更後、カードに格納する。ここで、色空間ｓＹＣＣのＪＰＥＧ符号化情報を受信時、ＪＰＥＧヘッダーのＸパラメータの内容が原稿情報サイズである、すなわち、デジタルスチルカメラサイズでないと、受信情報をデジカメスチルカメラ撮影の画素数に変更後、カードに格納する。
【００３３】
以上の制御プログラムが格納されている。
【００３４】
図３、４、５には、図１の制御の流れ図が図示されている。
【００３５】
図３において、Ｓ０は、始めを表している。
【００３６】
Ｓ２は、バス２６を介して、メモリ１８をイニシャライズする事を表している。
【００３７】
Ｓ４は、バス２６を介して、操作部の表示部をクリアする事を表している。
【００３８】
Ｓ６では、バス２６を介してＮＣＵ２のCMLをオフする。
【００３９】
Ｓ８では、ファクシミリ受信が選択されたか否かが判断されＹＥＳであるとＳ１２に進み、ＮＯであるとＳ１０に進み、その他の処理をする。
【００４０】
Ｓ１２では、バス２６を介してＮＣＵ２のCMLをオンする。
【００４１】
Ｓ１４は前手順を表している。ここで、ＤＩＳ信号のＦＩＦの６８、６９、Ｘビットは１とする。
【００４２】
Ｓ１６では、ＤＣＳ信号のＦＩＦのＸビットは１であるか否かが判断され、ＹＥＳであるとＳ１８に進み、ＮＯであるとＳ３２に進む。
【００４３】
Ｓ１８は、色空間ｓＹＣＣのＪＰＥＧ符号化データのヘッダを受信する事を表している。
【００４４】
Ｓ２０では、ＪＰＥＧ符号化のヘッダのＸパラメータでの主走査方向の画素数は、デジタルカメラサイズであるか否かが判断されＹＥＳであるとＳ２２に進み、ＮＯであるとＳ３０に進む。
【００４５】
Ｓ２２は、受信した色空間ｓＹＣＣのＪＰＥＧ符号化情報をコンパクトフラッシュ（登録商標）カードに格納する事を表している。
【００４６】
Ｓ２４は、中間手順を表している。
【００４７】
Ｓ２６では、次ページの受信があるか否かが判断されＹＥＳであるとＳ１８に進み、ＮＯであるとＳ２８に進む。
【００４８】
Ｓ２８は、後手順を表している。
【００４９】
Ｓ３０は、受信した色空間ｓＹＣＣのＪＰＥＧ符号化情報を、主走査、副走査方向ともにデジタルスチルカメラサイズに変倍して、コンパクトフラッシュ（登録商標）カードに格納する事を表している。
【００５０】
Ｓ３２では、ＤＣＳ信号のＦＩＦの６８、６９ビットはともに１であるか否かが判断され、ＹＥＳであるとＳ３４に進み、ＮＯであるとＳ３８に進む。
【００５１】
Ｓ３４は、全ページの色空間ＬａｂでのＪＰＥＧフルカラー情報を受信し、プリントする事を表している。ここで、中間手順を含む。
【００５２】
Ｓ３６は、後手順を表している。
【００５３】
Ｓ３８は、全ページのモノクロ情報を受信し、プリントする事を表している。ここで、中間手順を含む。
【００５４】
Ｓ３６は、後手順を表している。
【００５５】
（実施例２）
実施例１において、色空間ｓＹＣＣのＪＰＥＧ符号化情報を受信時、ＪＰＥＧヘッダーのＹパラメータの内容、あるいは、ＪＰＥＧ情報のＤＮＬマーカの内容により、必要に応じて、受信情報を変更後、カードに格納しても良い。具体的には、色空間ｓＹＣＣのＪＰＥＧ符号化情報を受信時、ＪＰＥＧヘッダーのＹパラメータの内容、あるいは、ＪＰＥＧ情報のＤＮＬマーカの内容が原稿情報サイズであると、受信情報をデジカメスチルカメラ撮影の画素数に変更後、カードに格納する。
【００５６】
図６には、図３、４、５の制御の流れ図に対して異なる部分の制御の流れ図が図示されている。
【００５７】
図６において、Ｓ５０はＳ１８を表している。
【００５８】
Ｓ５２では、ＪＰＥＧ符号化のヘッダのＹパラメータは受信した（より正確には、Ｙパラメータに副走査方向の画素数が含まれていた）か否かが判断され、ＹＥＳであるとＳ５４に進み、ＮＯであるとＳ５６に進む。
【００５９】
Ｓ５４では、ＪＰＥＧ符号化のヘッダのＹパラメータでの主走査方向の画素数は、デジタルスチルカメラサイズのサイズであるか否かが判断され、ＹＥＳであるとＳ６２（Ｓ２２）に進み、ＮＯであるとＳ６４（Ｓ３０）に進む。
【００６０】
Ｓ５６は、色空間ｓＹＣＣのＪＰＥＧ情報を本体のメモリへメモリ受信する事を表している。
【００６１】
Ｓ５８では、ＪＰＥＧ符号化情報のＤＮＬマーカでの主走査方向の画素数は、デジタルスチルカメラサイズのサイズであるか否かが判断され、ＹＥＳであるとＳ６２（Ｓ２２）に進み、ＮＯであるとＳ６０（Ｓ３０）に進む。
【図面の簡単な説明】
【００６２】
【図１】本発明によるファクシミリ装置の実施例のブロック図。
【図２】本発明によるＤＩＳ／ＤＴＣ、ＤＣＳ信号のＦＩＦ情報の具体例。
【図３】本発明による制御の流れ図。
【図４】本発明による制御の流れ図。
【図５】本発明による制御の流れ図。
【図６】本発明による制御の流れ図。
【符号の説明】
【００６３】
２  NCU
４  電話機
６  ハイブリッド回路
８  変復調器
１０  発呼回路
１２  加算回路
１４  読み取り回路
１６  記録回路
１８  メモリ回路
２０  操作部
２２  ＣＰＵ
２４  ＲＯＭ
２６  バス
２８  カードインターフェイス
３０  コンパクトフラッシュ（登録商標）カード
【図１】
2006066957.tif 000003
【図２】
2006066957.tif 000004
【図３】
2006066957.tif 000005
【図４】
2006066957.tif 000006
【図５】
2006066957.tif 000007
【図６】
2006066957.tif 000008